(57)【要約】【課題】観音開き式扉を閉じた状態での隙間を塞ぐ仕切板の形状を変更し、低電力で露付きの防止を図る。【解決手段】観音開き式の扉を備えた冷蔵庫であって、前記左右扉の対向面を庫内から庫外に向けて形成した傾斜部と、前記傾斜部を含む前記左右扉の裏面周縁に設けられたガスケットと、前記左右扉のうちの一方の扉の反枢支側に取り付けられ、扉開閉動作に応じて回動させられ、前記ガスケットに当接して前記左右扉間の隙間をシールする仕切体と、を備え、前記仕切体は、内部に設置されたヒータにより加熱されるとともに、前記ガスケットに吸着される仕切板を有し、該仕切板を前記傾斜部の傾斜に沿わせて突起部を形成している。【選択図】図１０
2018048808.tif 000002
【特許請求の範囲】
【請求項１】
貯蔵室の前面の開口部の両側に回動自在に枢支され、前記開口部を閉塞する観音開き式の左右扉と、
前記左右扉の対向面を庫内から庫外に向けて形成した傾斜部と、
前記傾斜部を含む前記左右扉の裏面周縁に設けられたガスケットと、
前記左右扉のうちの一方の扉の反枢支側に取り付けられ、扉開閉動作に応じて回動させられ、前記ガスケットに当接して前記左右扉間の隙間をシールする仕切体と、を備える冷蔵庫であって、
前記仕切体は、内部に設置されたヒータにより加熱されるとともに、前記ガスケットに吸着される仕切板を有し、該仕切板を前記傾斜部の傾斜に沿わせて突起部を形成した、冷蔵庫。
【請求項２】
前記左右扉間の隙間の庫内から庫外までの距離を、前記左右扉の厚さよりも短くした、請求項１記載の冷蔵庫。
【請求項３】
前記仕切体の一部を、前記傾斜部により構成されるＶ字状溝内に配置した、請求項１記載の冷蔵庫。
【請求項４】
前記突起部の先端部に、前記ヒータを設置した、請求項１記載の冷蔵庫。
【請求項５】
前記突起部の先端部は、平坦形状とした、請求項１記載の冷蔵庫。
【発明の詳細な説明】
【技術分野】
【０００１】
この発明の実施形態は、冷蔵室の観音開きの一方の扉内側に取り付けられた仕切体を備えた冷蔵庫に関する。
【背景技術】
【０００２】
従来、観音開き式の冷蔵室の一方の扉端部に沿って上下方向に延びる仕切体が設置されている。仕切体は、回動自在に取着された両扉の隙間から冷気漏れを防止するものである。仕切体は、冷蔵室内部が冷却されると外気の温度と冷蔵室内部の温度差により、仕切体前面の仕切板に露が発生する場合がある。このため、仕切板の表面の温度を保つように、露付き防止用ヒータに通電して加熱している。そして、ヒータが設置された部分の仕切板には、突起を設けて外気の温度を受けやすくし、仕切板の表面温度を高めて、通電率を下げるようにしている。
【０００３】
しかしながら、上述した突起の高さは微々たるものであるため、その効果には自ずと限度があり、望む通電率低下を期待できない、という課題があった。
【先行技術文献】
【特許文献】
【０００４】
【特許文献１】特開２０１１−０６４４２８
【発明の概要】
【発明が解決しようとする課題】
【０００５】
この発明が解決しようとする課題は、観音開き扉を閉じた状態での隙間を塞ぐ仕切体の形状を変更し、低い電力で露付きの防止が可能な冷蔵庫を提供することである。
【課題を解決するための手段】
【０００６】
実施形態の冷蔵庫は、貯蔵室の前面開口部の両側に回動自在に枢支され、前記開口部を閉塞する観音開き式の左右扉と、前記左右扉の対向面を庫内から庫外に向けて形成した傾斜部と、前記傾斜部を含む前記左右扉の裏面周縁に設けられたガスケットと、前記左右扉のうちの一方の扉の反枢支側に取り付けられ、扉開閉動作に応じて回動させ、前記ガスケットに当接して前記左右扉間の隙間をシールする仕切体と、を備える冷蔵庫であって、前記仕切体は、内部に設置されたヒータにより加熱されるとともに、前記ガスケットに吸着される仕切板を有し、該仕切板を前記傾斜部の傾斜に沿わせて突起部を形成した。
【０００７】
また、実施形態の冷蔵庫は、上記冷蔵庫において、前記左右扉間の隙間の庫内から庫外までの距離を、前記左右扉の厚さよりも短くした。
【図面の簡単な説明】
【０００８】
【図１】第１の実施形態にかかる冷蔵庫について説明するための正面から見た外観図である。
【図２】図１の観音開き式扉を開いた状態を示す斜視図である。
【図３】第１の実施形態の要部の上面図である。
【図４】図３の観音開き式の一方扉を開いた状態を示す上面図である。
【図５】第１の実施形態にかかる冷蔵庫の要部の断面図である。
【図６】第１の実施形態にかかる冷蔵庫の要部を拡大して示す上面図である。
【図７】第２の実施形態にかかる冷蔵庫の要部を拡大して示す上面図である。
【図８】第３の実施形態にかかる冷蔵庫の要部を拡大して示す上面図である。
【図９】第４の実施形態にかかる冷蔵庫の要部を拡大して示す上面図である。
【図１０】第５の実施形態にかかる冷蔵庫の要部を拡大して示す上面図である。
【図１１】第６の実施形態にかかる冷蔵庫の要部を拡大して示す上面図である。
【図１２】第７の実施形態にかかる冷蔵庫の要部を拡大して示す上面図である。
【発明を実施するための形態】
【０００９】
以下、実施形態について、図面を参照しながら詳細に説明する。
【００１０】
（第１の実施形態）
図１は、第１の実施形態にかかる冷蔵庫について説明するための正面から見た外観図である。図２は、図１の観音開き式扉を開いた状態を示す斜視図である。
【００１１】
図１に示す冷蔵庫は、観音開き式の扉を閉じた状態を示している。冷蔵庫１００は、断熱性の箱体である冷蔵庫本体１１内に複数に区画された貯蔵室を備えている。具体的には図２にも示すように、冷蔵庫本体１１は、その内部を断熱仕切板で仕切ることにより、上部より冷蔵室１３、製氷室１４、上冷凍室１５、野菜室１６、および下冷凍室１７を備えている。
【００１２】
各室の開口部は、マグネットに吸着する金属材料で形成されている。各室の開口部には、例えば硬質ウレタンフォームのような発泡断熱材を発泡充填した断熱扉が設けられている。具体的には、冷蔵室１３には断熱箱体の開口部を開閉可能に塞ぐ左扉１３ａおよび右扉１３ｂが設けられている。また、製氷室１４、上冷凍室１５、野菜室１６、および下冷凍室１７は、引き出し式の室であり、その前面部には、引き出し式の扉１４１，１５１，１６１，１７１がそれぞれ設けられている。扉１４１，１５１，１６１，１７１の背面部には、図示しない貯蔵容器がそれぞれ連結される。
【００１３】
冷蔵室１３の前面開口部には、この開口部を幅方向に区分して貯蔵された品物を、冷蔵庫本体の左右両側に設けた左扉１３ａおよび右扉１３ｂを開き、取り出し可能にされている。左扉１３ａおよび右扉１３ｂは、ヒンジ２１ａ，２１ｂで回動自在に枢支され、開閉可能に支持されている。
【００１４】
さらに、右扉１３ｂには、右扉１３ｂの反ヒンジ側の表面に、操作表示手段１９が取り付けられており、その取り付け位置は、一般的な使用者や作業者の目の高さ程度の高さ位置である。
【００１５】
図３および図４は、それぞれ左扉１３ａおよび右扉１３ｂを上面から見た図を示す。図３は両扉が閉じている状態を、図４は左扉１３ａが開いている状態を示す。
【００１６】
冷蔵室１３の開口部を閉塞する左扉１３ａおよび右扉１３ｂのうち、左扉１３ａには、反枢支側の裏面において上下方向に延びる縦長の仕切体３２がヒンジ３３により回動可能に設けられている。
【００１７】
仕切体３２は、左扉１３ａおよび右扉１３ｂの隙間部分から冷気が漏れることを防止するもので、冷蔵室１３の上下寸法よりも僅かに短い長さを有している。仕切体３２は、図５の断面に示すように、仕切板３２１、仕切カバー３２２、露付き防止用のヒータ５１および断熱材３２３を備えている。
【００１８】
仕切板３２１は、左扉１３ａおよび右扉１３ｂを閉じた状態の両扉に対向設置されている。仕切板３２１は、マグネットに吸着される金属材料で形成されている。この仕切板３２１は、左扉１３ａおよび右扉１３ｂの裏面周縁部に設けられ、内部にマグネット３０（図６参照）を備えたガスケット３１と当接して内部をシールするものである。
【００１９】
仕切体３２は、左扉１３ａを閉じたときに図３に示すように、左扉１３ａの表面とほぼ平行な第１の位置となる。左扉１３ａが開いたときに図４に示すように、左扉１３ａの表面とほぼ垂直な第２の位置となる。仕切体３２は、ヒンジ３３に挿入された図示しない捻りコイルバネにより回動方向に付勢されており、第１の位置および第２の位置を保持する。仕切体３２は、捻りバネの付勢力に抗して仕切体３２が所定角度以上に回動すると逆方向への付勢力が作用して仕切体３２の回動動作を補助するようになっている。つまり、仕切体３２は、捻りバネを用いた二安定機能により第１の位置か第２の位置かを、仕切体３２の回動角度により保持する。
【００２０】
また、仕切体３２は、開扉時において左扉１３ａの背面に隠れ、閉扉時において左扉１３ａおよび右扉１３ｂの裏面周縁部に取り付けられたガスケット３１のマグネット３０に吸着する。
【００２１】
閉じられた左扉１３ａのガスケット３１と右扉１３ｂの両扉の非枢支側の隙間３４と対向する仕切体３２の仕切板３２１には、断面が砲弾形状の突起部３２ａが形成されている。突起部３２ａは、仕切体３２の長さ方向に沿って一体的に形成されている。なお、突起部３２ａは、ガスケット３１の取り付けられた位置付近までか、それよりも高い隙間３４に臨む高さとし、隙間３４を介して庫外温度の影響を受けやすい形状にする。
【００２２】
さらに、仕切体３２は、冷蔵室１３の天井面１３ｃ（図２参照）に設けられた開扉用ガイド部５２および閉扉用ガイド部６１が、仕切体３２と当接するように設置されている。仕切体３２は、左扉１３ａの開閉動作に従い、第１の位置あるいは第２の位置に回動動作するように構成されている。
【００２３】
詳しくは、図６に示すように、左扉１３ａの後方には、閉扉用ガイド部６１が配設されている。右扉１３ｂの後方には、開扉用ガイド部６２が閉扉用ガイド部６１より左扉１３ａの回動径方向の外方（図６の右方）に配設されている。また、開扉用ガイド部６２は、冷蔵室１３の天井面１３ｃの前端部に設置され閉扉用ガイド部６１より前方に設置されている。
【００２４】
仕切体３２には、右扉１３ｂの閉扉時において開扉用当接面６３の前方に開扉用ガイド部６２を収納する切欠部６４が設けられている。冷蔵室１３の天井面１３ｃと対向する仕切体３２の上端面には、開扉用当接面６３、閉扉用当接面６５、切欠部６４が設けられている。開扉用当接面６３は開扉用ガイド部６２に当接する。閉扉用当接面６５は、閉扉用ガイド部６１に当接する。切欠部６４は、右扉１３ｂの閉扉時において開扉用当接面６３の前方において開扉用ガイド部６２を収納する。
【００２５】
開扉用当接面６３は、左扉１３ａの閉扉から開扉動作に伴い、開扉用ガイド部６２と摺動しながらヒンジ３３を中心に、左扉１３ａの開きとは逆の反時計回りに仕切体３２を回動させる曲面形状をなしている。
【００２６】
また、閉扉用当接面６５は、左扉１３ａの開扉から閉扉動作に伴い、閉扉用ガイド部６１と摺動しながらヒンジ３３を中心に、時計回りに仕切体３２を回動させる曲面形状をなしている。
【００２７】
このように、仕切体３２は、左扉１３ａが開いた状態では、扉表面に略垂直な第２の位置にある。この状態から左扉１３ａを閉じる。すると、図６に示す閉扉用ガイド部６１は、閉扉用当接面６５と当接し、閉扉動作が進むにつれて、閉扉用ガイド部６１が閉扉用当接面６５を摺動する。仕切体３２は、ヒンジ３３を中心にして時計回りに回動され、所定角度に回動した時点で捻りコイルバネの作用により扉表面に略平行な図３に示す第１の位置まで回動する。
【００２８】
逆に、仕切体３２が左扉１３ａの表面に略平行な第１の位置にある閉扉状態から左扉１３ａを開く。すると、図６に示す開扉用ガイド部６２は、開扉用当接面６３と当接し、開扉動作が進むにつれて、開扉用ガイド部６２が開扉用当接面６３を摺動する。仕切体３２は、ヒンジ３３を中心にして反時計回りに回動され、所定角度に回動した時点で捻りコイルバネの作用により扉表面に略垂直な第２の位置まで回動する。
【００２９】
右扉１３ｂは、左扉１３ａが閉じた状態から開くときは、冷蔵室１３の開口部に吸着されたガスケット３１のマグネット３０の吸着力に抗することにより、開くことができる。
【００３０】
ところで、冷蔵庫１００では、冷蔵室１３内が冷却されると外気の温度と冷蔵室１３内の温度差により、仕切体３２の仕切板３２１に露が発生する場合がある。このため、仕切板３２１の表面の温度を露点温度以上に保つために、仕切板３２１の裏側に配設されたヒータ５１に通電を行い、仕切板３２１の加熱が行われている。
【００３１】
仕切体３２の突起部３２ａは、図６に示すように、左扉１３ａと右扉１３ｂとの隙間３４付近まで設置されている。このため、隙間３４付近に位置する突起部３２ａは、冷蔵庫１００の庫外温度の影響を受けやすいことになる。つまり、仕切板３２１の表面温度を上昇させ、ヒータ５１の通電率を低下させることができる。
【００３２】
この実施形態では、仕切板３２１の突起部３２ａが外気温度の影響を受けやすい構造とした。これにより、仕切板３２１の表面温度を上昇させることができ、仕切体３２に設置されるヒータ５１の電力量の低減が可能となり、省エネに寄与する。
【００３３】
（第２の実施形態）
図７は、第２の実施形態にかかる冷蔵庫の要部を拡大して示す上面図である。
【００３４】
この実施形態は、第１実施形態の断面が砲弾形状の突起部３２ａに変えて、断面が三角形状の突起部３２ｂとした。突起部３２ｂの頂部は、左扉１３ａと右扉１３ｂとの隙間３４に合わせて設置されている。
【００３５】
この実施形態では、隙間３４の間隔が第１の実施形態と同じとした場合、三角形状の突起部３２ｂを隙間３４のより庫外側まで設置することができる。仕切板３２１の表面温度は、庫外に近づいた分だけの上昇が期待できる。従って、より上昇が可能な分だけ、省エネ効果の向上を図ることが可能となる。
【００３６】
（第３の実施形態）
図８は、第３の実施形態にかかる冷蔵庫の要部を拡大して示す上面図である。この実施形態は、第２の実施形態の突起部３２ｂの先端部に、平坦部７１を形成した突起部３２ｃが仕切板３２１に一体形成されている。
【００３７】
この実施形態によれば、第２の実施形態の効果を有しながら、平坦部７１を設けたことで、外気温度に接触しやすい部分の面積を増やすようにした。これにより、外気温度を取り込みやすくなり、ヒータ５１に通電量の低下に寄与し、より省エネの向上を図ることができる。
【００３８】
（第４の実施形態）
図９は、第４の実施形態にかかる冷蔵庫の要部を拡大して示す上面図である。この実施形態は、突起部３２ａの先端部分にヒータ５１を配線したものである。
【００３９】
この実施形態によれば、外気温度の影響を受けやすい突起部３２ａの先端部分にヒータ５１が設置されている。このため、仕切板３２１の表面温度を高めやすく、その分だけヒータ５１の通電率を下げることができ、省エネ効果を発揮する。
【００４０】
なお、この実施形態の突起部としては、砲弾形状の３２ａとしたが、他の突起部３２ａ〜３２ｃにおいても、突起部３２ａ〜３２ｃのそれぞれの先端部にヒータ５１を配線しても構わず、同様の効果を奏する
（第５の実施形態）
図１０は、第５の実施形態にかかる冷蔵庫の要部を拡大して示す上面図である。
【００４１】
この実施形態は、左扉１３ａと右扉１３ｂの両扉の非枢支側の冷蔵室１３面から庫外側に向けてそれぞれ傾斜部１３ａ１，１３ｂ１を設け、断面構造がＶ字状溝に形成されている。そして、傾斜部１３ａ１，１３ｂ１には、ガスケット３１がそれぞれ取着されている。仕切体３２は、傾斜部１３ａ１，１３ｂ１の傾斜に沿わせて仕切板３２１ａ，３２１ｂが一体的に形成されている。突起部３２ｄは、傾斜させた仕切板３２１ａ，３２１ｂにより形成されている。
【００４２】
左扉１３ａを閉めると、左扉１３ａに取着されたガスケット３１が仕切板３２１ａに吸着する。右扉１３ｂを閉めると、右扉１３ｂに取着されたガスケット３１が仕切板３２１ｂに吸着する。
【００４３】
ここで、隙間３４の庫内から庫外（左扉１３ａの表面）までの距離ｄ１は、上記各実施形態の距離ｄ２に比して図１０に示すように、１／２以下に設定することができる。また、突起部３２ｄの頂部から庫外までの距離ｄ３も、上記各実施形態に比して傾斜部１３ａ１，１３ｂ１に突起部３２ｄが入り込んだ分だけ、庫外までの距離は短くなる。
【００４４】
また、仕切体３２の一部を傾斜部１３ａ１，１３ｂ１で形成された断面Ｖ字溝に収納された状態となる。これにより、両扉の表面から仕切体３２の背面までの距離ｄ４も短くすることが可能となる。従って、仕切体３２が庫内に出っ張ることを抑えることができ、冷蔵室１３の容量向上にも寄与する。
【００４５】
この実施形態では、隙間３４が短く、突起部３２ｄの距離が庫外に近い分だけ、より外気温度による仕切板３２１ａ，３２１ｂが高められ、ヒータ５１の通電率を低下させることができ、より省エネ効果を図ることが可能となる。また、仕切体３２の庫内への出っ張りを抑え、庫内容量を増加させることが可能となる。
【００４６】
（第６の実施形態）
図１１は、第６の実施形態にかかる冷蔵庫の要部を拡大して示す上面図である。
【００４７】
この実施形態は、第５の実施形態の突起部３２ｄの先端部に、平坦部１１１を形成した突起部３２ｅが仕切板３２１ａ，３２１ｂに一体形成されている。
【００４８】
この実施形態の場合は、第５の実施形態の効果に加え、平坦部１１１を設けたことで、外気温度に接触しやすい部分の面積を増やすようにした。これにより、外気温度を取り込みやすくなり、ヒータ５１に通電量の低下に寄与し、より省エネ向上を図ることができる。
【００４９】
（第７の実施形態）
図１２は、第７の実施形態にかかる冷蔵庫の要部を拡大して示す上面図である。
【００５０】
この実施形態は、第５の実施形態の突起部３２ｄの先端部分にヒータ５１を配線したものである。
【００５１】
この実施形態によれば、外気温度の影響を受けやすい突起部３２ａの先端部分にヒータ５１が設置されている。このため、仕切板３２１ａ，３２１ｂの表面温度を高めやすく、その分だけヒータ５１の通電率を下げることができる。その分、より省エネ効果を発揮することが可能となる。
【００５２】
なお、この実施形態の突起部３２ｄとしては、第６の実施形態の突起部３２ｅにおいても、先端部分にヒータ５１を配線しても構わず、同様の効果を奏する
上記した各実施形態に限定されるものではない。例えば、第５〜第７の実施形態では、左扉１３ａと右扉１３ｂとの間の隙間３４の庫内から庫外までを短くするとともに、突起部３２ｄ，３２ｅが庫外により近くに設置される状態となっている。このため、仕切板３２１ａ，３２１ｂの裏面にヒータがなくても霜の発生を抑えることが可能となる。あるいは、ヒータが必要であっても、ヒータに印加する最大の電力量を抑えることが可能となる。
【００５３】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【００５４】
１００  冷蔵庫
１１  冷蔵庫本体
１３  冷蔵室
１３ａ  左扉
１３ａ１，１３ｂ１  傾斜部
１３ｂ  右扉
２１ａ，２１ｂ，３３  ヒンジ
３２  仕切体
３２１，３２１ａ，３２１ｂ  仕切板
３２２  仕切カバー
３２３  断熱材
３０  マグネット
３１  ガスケット
３４  隙間
３２ａ〜３２ｅ  突起部
５１  露付き防止用のヒータ
６１  閉扉用ガイド部
６２  開扉用ガイド部
６３  開扉用当接面
６４  切欠部
６５  閉扉用当接面
【図１】
2018048808.tif 000003
【図２】
2018048808.tif 000004
【図３】
2018048808.tif 000005
【図４】
2018048808.tif 000006
【図５】
2018048808.tif 000007
【図６】
2018048808.tif 000008
【図７】
2018048808.tif 000009
【図８】
2018048808.tif 000010
【図９】
2018048808.tif 000011
【図１０】
2018048808.tif 000012
【図１１】
2018048808.tif 000013
【図１２】
2018048808.tif 000014